(57)【要約】  楽器用スタンドであって、前記楽器用スタンドは、基部と、上端を備え、かつ前記基部から前記上端まで上方に延びる直立部と、第１端部および第２端部を備え、第１端部と第２端部との間で前記直立部の前記上端に取り付けられた部材と、前記第１端部に取り付けられ、楽器を着脱可能に取り付けるように構成された取り付け具と、楽器の重量を釣り合わせるために第２端部に取り付けられている釣り合い錘とを備える楽器用スタンド。【選択図】図１
2019517028.tif 000002
【特許請求の範囲】
【請求項１】
基部と、
上端を備え、かつ前記基部から前記上端まで上方に延びる直立部と、
第１端部および第２端部を備え、第１端部と第２端部との間で前記直立部の前記上端に取り付けられた部材と、
前記第１端部に取り付けられ、楽器を着脱可能に取り付けるように構成された取り付け具と、
楽器の重量を釣り合わせるために第２端部に取り付けられている釣り合い錘と
を備える楽器用スタンド。
【請求項２】
前記部材を前記直立部の前記上端に取り付ける調節機構をさらに備え、前記調節機構は、前記釣り合い錘と前記直立部との間の距離を調節するように構成される、請求項１に記載の楽器用スタンド。
【請求項３】
前記調節機構が、前記部材とスライド可能に係合し、前記部材が前記直立部の軸の周りに回転可能であるように、前記直立部の上端に、回転可能に取り付けられたボディを備える、請求項２に記載の楽器用スタンド。
【請求項４】
前記調節機構が、前記部材と係合し、前記ボディと螺合するロッドをさらに備え、前記ロッドのそれ自体の軸を中心とする回転は、前記部材を前記ボディに対してスライドさせ、それによって前記釣り合い錘と直立部との間の距離を調節する、請求項３に記載の楽器用スタンド。
【請求項５】
前記調節機構が、前記ロッドの手動回転中に握るために前記ロッドの端部に取り付けられた調節つまみをさらに備える、請求項４に記載の楽器用スタンド。
【請求項６】
前記第２端部は、前記直立部の前記上端より下方に位置し、前記第１端部は、前記直立部の前記上端より上方に位置する、前記請求項のいずれかに記載の楽器用スタンド。
【請求項７】
前記部材が、前記第１端部と前記第２端部との間に配置された、細長い中央部をさらに備える、前記請求項のいずれかに記載の楽器用スタンド。
【請求項８】
前記部材は、第１および第２変位部をさらに備え、前記第２変位部は、前記第２端部を前記中央部に接続し、前記第１変位部は、前記中央部を前記第１端部に接続する、請求項７に記載の楽器用スタンド。
【請求項９】
前記第１変位部および前記第２変位部は、細長く、互いに平行に延びる、請求項８に記載の楽器用スタンド。
【請求項１０】
前記第１変位部および前記第２変位部は、前記中央部に対して直交する方向に延びる、請求項８または請求項９に記載の楽器用スタンド。
【請求項１１】
前記第１端部および前記第２端部は、細長く、前記細長い中央部と平行に延びる、請求項７から請求項１０のいずれかに記載の楽器用スタンド。
【請求項１２】
前記第１端部、前記第２端部、前記中央部、前記第１変位部、および前記第２変位部は、実質的に平面内に延在する、請求項８から請求項１１のいずれかに記載の楽器用スタンド。
【請求項１３】
前記部材は、一体的に形成されている、前記請求項のいずれかに記載の楽器用スタンド。
【請求項１４】
前記釣り合い錘は、取り付けのため前記第２端部が貫通して受け入れられる開口を備える、前記請求項のいずれかに記載の楽器用スタンド。
【請求項１５】
前記楽器用スタンドは、前記部材に沿った前記釣り合い錘の移動を制限するために、前記第２端部に螺合されて取り付けられた停止つまみをさらに含む、請求項１４に記載の楽器用スタンド。
【請求項１６】
前記釣り合い錘は、実質的に円筒形の形状である、前記請求項のいずれかに記載の楽器用スタンド。
【請求項１７】
前記直立部は、前記上端と前記基部との間の距離が調節可能であるように、入れ子状に伸縮可能である、前記請求項のいずれかに記載の楽器用スタンド。
【請求項１８】
前記基部は、平らな床に設置するための複数の脚部を備える、前記請求項のいずれかに記載の楽器用スタンド。
【請求項１９】
前記部材を前記直立部に取り付ける、取り付け具をさらに備える、請求項１に記載の楽器用スタンド。
【請求項２０】
前記基部が、前記直立部の下端によって提供される少なくとも２つの安定点と第３の安定点とを形成する、少なくとも２つの可撓性の脚部をさらに備える、請求項１に記載の楽器用スタンド。
【請求項２１】
前記直立部は、第１直立部分と、第２直立部分と、解除ロックとを備え、前記第１直立部分と前記第２直立部分とは、スライド可能に係合し、前記解除ロックは、第２直立部分に対して前記第１直立部分をロックするように構成される、請求項１に記載の楽器用スタンド。
【請求項２２】
前記取り付け具は、伸縮式の取り付け具である、請求項１に記載の楽器用スタンド。
【請求項２３】
前記脚部は、伸ばした状態と折り畳まれた状態との間を繰り返すことが可能である、請求項１に記載の楽器用スタンド。
【請求項２４】
前記脚部は、前記伸ばした状態および前記折り畳まれた状態のそれぞれにおいてロックするように配置されている、請求項２３に記載の楽器用スタンド。
【請求項２５】
釣り合いは、互いに係合する２つ以上の釣り合い構成要素から形成される、請求項１に記載の楽器用スタンド。
【請求項２６】
前記請求項のいずれかに記載の楽器用スタンドと、
楽器用スタンドの取り付け具に取り付けられた楽器とを備える、アセンブリ。
【請求項２７】
前記楽器はサクソフォンである、請求項２６に記載のアセンブリ。
【発明の詳細な説明】
【技術分野】
【０００１】
本発明は、楽器用スタンドに関する。
【背景技術】
【０００２】
サクソフォンのような楽器は、演奏中に演奏者の首または肩からさげて支持される。しかし、この楽器がかなりの重量を有すると、これはしばしば演奏者に不快感を与え、怪我を招くことさえある。
【０００３】
楽器を支持するスタンドは存在するが、これらのスタンドは、置いている間に楽器を支持するためにのみ設計されていたり、支持された楽器を快適に演奏するために必要な人間工学的調整機能を欠いていることが多い。さらに、これらのスタンドは、様々な重量およびサイズの楽器を安定した状態で支持することができないことが多い。
【発明の概要】
【発明が解決しようとする課題】
【０００４】
本発明の目的は、上記の欠点の１つ以上を十分に克服または改善し、もしくは少なくとも有用な代替物を提供することである。
【課題を解決するための手段】
【０００５】
上記目的を達成するために、本発明は楽器用スタンドであって、前記楽器用スタンドは、基部と、上端を備え、かつ前記基部から前記上端まで上方に延びる直立部と、第１端部および第２端部を備え、第１端部と第２端部との間で前記直立部の前記上端に取り付けられた部材（member）と、前記第１端部に取り付けられ、楽器を着脱可能に取り付けるように構成された取り付け具（attachment fitting）と、楽器の重量を釣り合わせるために第２端部に取り付けられている釣り合い錘（counterweight）とを備える。
【０００６】
好ましくは、前記楽器用スタンドは、前記部材を前記直立部の前記上端に取り付ける調節機構をさらに備え、前記調節機構は、前記釣り合い錘と前記直立部との間の距離を調節するように構成される。好ましくは、前記調節機構は、前記部材とスライド可能に係合し、前記部材が前記直立部の軸の周りに回転可能であるように、前記直立部の上端に、回転可能に取り付けられたボディをさらに備える。好ましくは、前記調節機構は、前記部材と係合し、前記ボディと螺合するロッドをさらに備え、前記ロッドそれ自体の軸を中心とする回転は、前記部材を前記ボディに対してスライドさせ、それによって前記釣り合い錘と直立部との間の距離を調節する。好ましくは、前記調節機構は、前記ロッドの手動回転中に握るために前記ロッドの端部に取り付けられた調節つまみをさらに備える。
【０００７】
好ましくは、前記第２端部は前記直立部の前記上端よりも下方に位置し、前記第１端部は、前記直立部の前記上端より上方に位置する。
【０００８】
好ましくは、前記部材が、前記第１端部と前記第２端部との間に配置された、細長い中央部をさらに備える。好ましくは、前記部材は、第１および第２変位部をさらに備え、前記第２変位部は、前記第２端部を前記中央部に接続し、前記第１変位部は前記中央部を前記第１端部に接続する。好ましくは、前記第１変位部および前記第２変位部は、細長く、互いに平行に延びる。好ましくは、前記第１変位部および前記第２変位部は、前記中央部に対して直交する方向に延びる。好ましくは、前記第１端部および前記第２端部は、細長く、前記細長い中央部と平行に延びる。好ましくは、前記第１端部、前記第２端部、前記中央部、前記第１変位部、および前記第２変位部は、実質的に平面内に延在する。
【０００９】
好ましくは、前記部材は一体的に形成されている。
【００１０】
好ましくは、前記釣り合い錘は、取り付けのため前記第２端部が貫通して受け入れられる開口を備える。好ましくは、楽器用スタンドは、前記部材に沿った前記釣り合い錘の移動を制限するために、前記第２端部に螺合されて取り付けられた停止つまみ（stopping knob）をさらに備える。
【００１１】
好ましくは、前記釣り合い錘は、実質的に円筒形の形状である。
【００１２】
好ましくは、前記直立部は、前記上端と前記基部との間の距離が調節可能であるように入れ子状に伸縮可能である。
【００１３】
本発明の別の態様によれば、上記のような楽器用スタンドおよび楽器用スタンドの取り付け具に取り付けられた楽器を備えるアセンブリが提供される。
【００１４】
好ましくは、前記楽器はサクソフォンである。
【００１５】
好ましくは、前記スタンドは、前記部材を前記直立部に取り付ける張力取り付け具（tension fitting）を備える。
【００１６】
好ましくは、前記基部は、少なくとも２つの安定点を形成する少なくとも２つの可撓性の脚部と、前記直立部の下端によって提供される第３の安定点とを備える。
【００１７】
好ましくは、前記直立部は、第１直立部分と、第２直立部分と、解除ロック（release lock）とを備え、前記第１直立部分と前記第２直立部分とは、スライド可能に係合し、前記解除ロックは、第２直立部分に対して前記第１直立部分をロックするように構成される。
【００１８】
好ましくは、前記取り付け具は、伸縮式の取り付け具である。
【図面の簡単な説明】
【００１９】
本発明の好ましい実施形態を、添付の図面を参照して、単なる例示として以下に説明する。
【図１】サクソフォンを支持する楽器用スタンドの一実施形態の斜視図。
【図２】図１の楽器用スタンドの別の斜視図。
【図３】サクソフォンを支持する楽器用スタンドのさらなる実施形態を示す図。
【図４】図３に示される楽器用スタンドの張力取り付け具の詳細を示す図。
【図５Ａ】図３の楽器用スタンドの折り畳み可能な脚部を伸ばした状態の図。
【図５Ｂ】図３の楽器用スタンドの折り畳み可能な脚部を折り畳んだ状態の図。
【図６Ａ】図３に示される楽器用スタンドの脚部の回転可能なロック機能の詳細を示す図。
【図６Ｂ】図３に示される楽器用スタンドの脚部の回転可能なロック機能の詳細を示す図。
【図６Ｃ】図３に示される楽器用スタンドの脚部の回転可能なロック機能の詳細を示す図。
【図７Ａ】図３に示される楽器用スタンドの２つの異なる使用可能な構成の図。
【図７Ｂ】図３に示される楽器用スタンドの２つの異なる使用可能な構成の図。
【図８】図３の楽器用スタンドの直立部分のキー溝を示す図。
【図９】図３に示される楽器用スタンドのクロス部材（cross member）のキー溝を示す図。
【図１０】図３に示される楽器用スタンドのクロス部材のキー溝を示す図。
【図１１Ａ】図３の楽器用スタンドの張力取り付け具の詳細を示す図。
【図１１Ｂ】図３の楽器用スタンドの張力取り付け具の詳細を示す図。
【図１２Ａ】図３に示される楽器用スタンドと共に使用されるカムレバーシステムを示す図。
【図１２Ｂ】図３に示される楽器用スタンドと共に使用されるカムレバーシステムを示す図。
【図１３】図３に示される楽器用スタンドに従って使用される多部分（multi-part）釣り合い錘システムを示す図。
【図１４】図３の楽器用スタンドの格納および包装に適したコンパクトな構成を示す図。
【図１５】図３の楽器用スタンド用の釣り合い錘の詳細を示す図。
【発明を実施するための形態】
【００２０】
添付の図面の図１および図２は、サクソフォン１２の形態の楽器用スタンド１０の実施形態を示す。他の実施形態では、バスクラリネット、クラリネット、バスーン、オーボエ、またはコーラングレのような他の楽器であり得る。
【００２１】
楽器用スタンド１０は、概ね平坦な床に設置するように構成された基部１４を備える。基部１４は、基部１４の中心から放射状に延びて星型の形状を画定する５つの脚部１６から形成される。楽器用スタンド１０は、基部１４の中心に取り付けられた第１端部である下端１９から、直立部１８の第２端部である上端２０へ上向きに延びる伸縮自在の鋼管状の直立部１８をさらに備える。直立部１８は、入れ子状に伸縮可能であり、例えば下端１９と上端２０との間の距離を調節することで、基部１４と上端２０との間の距離を調節して変化させることができる。
【００２２】
楽器用スタンド１０は、単一の鋼管から一体的に形成された部材２２をさらに備える。部材２２は、第１および第２端部２４，２６、端部２４，２６の間に位置する中央部２８、それぞれ中央部２８に対して端部２４，２６を接続する第１および第２変位部３０，３２を画定するように曲げられている。図示する実施形態では、端部２４，２６および中央部２８は互いに平行に延在する。変位部３０，３２はまた、互いに平行に延在し、端部２４，２６および中央部２８に対して直交して延びる。部分２４，２６，２８，３０，３２の全ては実質的に同一平面上に延びる。
【００２３】
他の実施形態では、部材２２は、第１変位部３０または第２変位部３２を備えていなくてもよい。代わりに、第１端部２４または第２端部２６は、中央部２８に直接軸方向に直線状に接続される。
【００２４】
図示の実施形態では、部材２２の中央部２８は、第２端部２６が第１端部２４よりも低く位置するように、調節機構３４によって直立部１８の上端２０に取り付けられる。具体的には、第１端部２４は、直立部１８の上端２０よりも上方に位置し、第２端部２６は、直立部１８の上端２０よりも下方に位置する。調節機構３４は、プラスチックボディ３６と細長いねじ山付きスチールロッド（elongate threaded steel rod）３８とを備える。ボディ３６は、上端２０に回転可能に取り付けられ、それによりボディ３６は、直立部１８の長手方向の軸の周りを回転することができる。部材２２の中央部２８が通る開口を有するボディ３６は、開口に中央部２８を受け入れる。そのため中央部２８はボディ３６に接するが、ボディ１８に対して容易にスライドすることができる。ボディ３６はさらに、ロッド３８が螺合するねじ穴を有する。調節機構３４はさらに、中央部２８に固定され、中央部２８から下方に延びるプラスチックネック部３５を備える。ロッド３８は、ロッド３８が中央部２８と平行であり、ロッド３８の中央部２８に対する他の動きが固定しつつその長手方向の軸の周りに回転できるように、ネック部３５に回転可能に取り付けられている。したがって、ロッド３８がボディ３６のねじ孔に螺合すると、ロッド３８の回転に伴って中央部２８、それによって部材２２はボディ３６に対してスライドする。ボディ３６に対する部材２２のスライド運動は、第２端部２６と直立部１８との間の距離を調節し、同時に、第１端部２４と直立部１８との間の距離を調節することが理解されるだろう。
【００２５】
図１および図２に示すように、調節機構３４は、ロッド３８の自由端に取り付けられた調節つまみ４０をさらに備え、ロッド３８の手動回転のために容易に握ることができる。
【００２６】
楽器用スタンド１０は、第１端部２４の自由端に取り付けられた取り付け具４２をさらに備える。取り付け具４２は、サクソフォン１２を着脱可能に取り付けるように構成された金属ばねクリップフックの形態である。
【００２７】
楽器用スタンド１０は、鉄製の釣り合い錘４４をさらに備える。釣り合い錘４４は、円筒形状をしており、長手方向に延びて貫通する開口を有する。釣り合い錘４４の開口は、取り付けのために第２の端部分２６が釣り合い錘４４の開口を通して受けられるように、第２の端部分２６の直径よりわずかに大きい直径を有する。釣り合い錘４４は、サクソフォン１２の重量を釣り合わせることができる重量のものである。図示の実施形態では、釣り合い錘４４の重量は約３．９ｋｇである。楽器用スタンド１０は、釣り合い錘４４の開口の直径よりも大きいサイズの停止つまみ４６をさらに備える。停止つまみ４６は、釣り合い錘４４の第２端部２６に沿った移動が制限されるように、第２端部２６の自由端に螺合され、それにより第２端部２６から滑り落ちることを防止する。
【００２８】
次に、演奏者による楽器用スタンド１０の使用例を説明する。
【００２９】
演奏者は楽器用スタンド１０を、サクソフォン１２を演奏する場所に運ぶ。次いで、楽器用スタンドの基部１４は、第１および第２端部２４，２６および中央部２８が実質的に水平になるように、その位置で床に置かれ、設置される。したがって、第１および第２変位部３０，３２は実質的に直交することが理解されるだろう。
【００３０】
演奏者は、次に、サクソフォン１２を取り付け具４２によって第１端部２４に取り付ける。釣り合い錘４４が第２端部２６に取り付けられていると仮定すると、部材２２は直立部１８の上端２０が実質的に支点のように作用することがわかるだろう。したがって、釣り合い錘４４は、サクソフォン１２の重量を打ち消すことになる。釣り合い錘４４が、サクソフォン１２の重量の適切なバランスがとれない場合（すなわち、釣り合い錘４４が、サクソフォン１２の重量のバランスを上回る／下回る）、演奏者は調節機構３４の調節つまみ４０を握ってロッド３８を回転させることができる。これにより、演奏者は釣り合い錘４４と、直立体１８の上端２０との間の距離を調節することができ、同時にサクソフォン１２と直立体１８の上端２０との間の距離を調節することができる。これらの距離の調節は、実質的なバランスが達成されるように、サクソフォン１２および釣り合い錘４４のそれぞれによって起こされる負荷モーメントを微調整することが理解されるであろう。釣り合い錘４４が重すぎる、または軽すぎるため、調節によってバランスがとれない場合、演奏者はまた、停止つまみ４６を取り外し、釣り合い錘４４を第２端部２６からスライドさせて取り外すことができ、より重いまたはより軽い重りである別の釣り合い錘を第２端部２６に取り付けることができる。
【００３１】
釣り合い錘４４とサクソフォン１２の重量との間で実質的なバランスがとれた後、サクソフォン１２が、演奏者が演奏するための適切な高さとなるように、演奏者は、直立部１８を、入れ子式に伸縮させる。
【００３２】
上述した実施形態によれば、楽器用スタンド１０は、楽器用スタンド１０が安定するように、支持されたサクソフォン１２の重量を、釣り合い錘４４によって実質的にバランスをとらせる。さらに、楽器用スタンド１０は、調節機構３４が、釣り合い錘４４と直立部１８との間の距離を微調整することで、様々な重量およびサイズのサクソフォンを安定して支持することができ、および／または、釣り合い錘４４は、別のより大きいまたはより小さい重さのものに交換することができる。さらに、釣り合い錘４４は、サクソフォン１２の重量のバランスをとることができるので、サクソフォン１２を安定的に保持するため、基部１４はサイズが過度に大きく、および／または重くなくてもよい。さらに、第２端部２６が第１端部２４よりも低く位置するため、楽器用スタンド１０は上部が重くなく、したがって、より安定している。これはまた、釣り合い錘４４を危険でない高さに位置させ、床からの距離が実質的にないので、別の釣り合い錘と容易に交換できる。さらに、直立部１８が入れ子状に伸長可能であるので、サクソフォン１２は演奏者によって人間工学的に演奏され得る。
【００３３】
機構３４は、釣り合い錘４４と直立部１８との間の距離の微調整を可能にすること、および／または釣り合い錘４４を別の、より重いまたはより軽い重りに交換することができ、サクソフォン１２と共に追加のアタッチメントを第１端部２４に取り付けても潜在的に釣り合い錘４４によってバランスがとられる。例えば、マイク、音楽ヘッドスタンド、および／またはマウスピースキャップスタンドが第１端部２４に取り付けられ得る。
【００３４】
楽器用スタンドの更なる実施形態は、図３から図１５を参照して説明される。
【００３５】
この実施形態によれば、楽器用スタンド３０１は、２つの脚部（３０３Ａおよび３０３Ｂ）の形態で設けられた基部３０２と、直立部３０７の下端３０５とを有する。２つの脚部（３０３Ａおよび３０３Ｂ）および下端３０５は、楽器用スタンドのある３つの安定点を提供する。 脚部は、可撓性プラスチック材料から作られ、脚部の屈曲に伴って楽器用スタンドの直立部３０７が動くことを可能にする程度の可撓性を与える。２つ以上の脚が設けられてもよいことは理解されるであろう。
【００３６】
図１および図２を参照して説明した実施形態と同様に、直立部は、基部から部材３０９に向かって上方に延び、部材３０９と接する。この実施形態では、直立部は、張力取り付け具３１１を介して部材に取り付けられる。この実施形態の直立部３０７は、第１直立部分３０７Ａと、第２直立部分３０７Ｂとから形成されている。第１直立部分３０７Ａは、第２直立部分３０７Ｂより小さい直径を有する。第１直立部分３０７Ａと、第２直立部分３０７Ｂとは、それぞれが解除ロック３１３を介して接続されている。ロック解除モードでは、直立部全体の長さ（すなわち、第１直立部分３０７Ａの長さと第２直立部分３０７Ｂの露出した長さの合計）を調節するため、解除ロックは第１直立部分３０７Ａが第２直立部分３０７Ｂとスライド可能に係合し、第２直立部分の空洞に入る。ロックモードであるとき、解除ロックは、第２直立部分３０７Ｂの外面と接合し、第１直立部分３０７Ａに対する位置をロックするため、解除ロックが第２直立部分３０７Ｂの外面と接合する。
【００３７】
張力取り付け具３１１は、部材を所定の位置に固定するために部材３０９と係合する。張力取り付け具３１１は、部材３０９が直立部３０７に対して（特に第２直立部分３０７Ｂに対して）動くことを可能にするため、中に取り付けられた引っ張りバネ（tension spring）を有する。取り付け具の引っ張りバネによってもたらされる相対運動は、部材の運動をより柔軟にし、取り付け具の運動が可撓性の脚部（３０３Ａおよび３０３Ｂ）によってもたらされる運動と組み合わされるとき、楽器用スタンドの全体的な可撓性を増大させる。さらに、張力取り付け具３１１内に形成された引っ張りバネを有することにより、釣り合い力が必要とされず、したがって、釣り合い錘３１４と取り付け具との間の距離が減少することがあり、そして、この実施形態における部材の全長は、図１および図２を参照して説明した部材の長さより短くなり得る。また、張力取り付け具３１１内に形成された引っ張りバネを有することにより、必要とされる釣り合い力が小さくなり、釣り合い錘３１４の重量を軽減することができる。例えば、本実施形態では、釣り合い錘の構成要素は、２つの構成要素から作られており、全体で約２ｋｇの重量を有し得る。これは、引っ張りバネによって生成される抵抗が増大するため、第１実施形態の釣り合い錘の約３．９ｋｇより軽い。
【００３８】
本実施形態では、取り付け具３１５が部材３０９の第１端部から延びている。この取り付け具は、楽器を楽器用スタンドに着脱可能に取り付けるために使用される。例えば、取り付け具３１５は、バネを介して部材の空洞内のアンカーポイント（図示せず）に取り付けられたスチールケーブル３１９を有していてもよく、これによりユーザの好みに応じて、ケーブルを部材の外へ引き出すこと、また引き込むことが可能となる。
【００３９】
本実施形態によれば、直立部および部材は、例えば、炭素繊維または粉末コーティングを施したアルミニウムのような任意の適切な材料で作ることができる。
【００４０】
図５Ａおよび図５Ｂは、楽器用スタンド３０１の折り畳み可能な脚部（３０３Ａおよび３０３Ｂ）を示す。図５Ａは、伸ばした状態の脚部を示し、図５Ｂは、折り畳んだ状態の脚部を示す。脚接続部５０１は、脚部を直立部３０７に接続する。各脚部（３０３Ａおよび３０３Ｂ）は、図６Ａから図６Ｃに詳細に示すように、回転可能な接続点（５０３Ａおよび５０３Ｂ）を中心に回転可能である。
【００４１】
脚部は、各脚部の厚さが先端部から直立部の接続点まで増加する平坦な外形を有する。 これにより、ユーザが使用中に脚部につまずく危険性が低減される。例えば、脚部の最も薄い部分は約５〜６ｍｍであってもよい。開いた構成では、脚部は直立部に対して約６０度の角度で突出する。
【００４２】
図６Ａ〜図６Ｃは、脚部（３０３Ａおよび３０３Ｂ）と脚接続部５０１との間の回転可能な接続の詳細を示す。図６Ａは、脚接続部５０１に接続する脚部３０３Ａの底面図を示す。脚部インサート６０１は、脚部を脚連結部に係止するため、脚連結部５０１の延長部６０３に位置する対応する孔（図６Ｃ参照）を通り係合する。これにより、脚部が脚結合部に対して回転することを可能にする回転可能な接続点５０３Ａが形成される。
【００４３】
図６Ｂは、脚部接続部５０１に接続されていないときの脚部３０３Ａの下面を示す。脚部インサート６０１は、脚部３０３Ａの遠位端の中心点から延びる丸い突起として示されている。２つの位置決めノード（nodes）（６０５Ａおよび６０５Ｂ）が、脚部３０３Ａの遠位端から延びている。これらの位置決めモード（modes）は、脚接続部５０１の対応するスロットに置かれるように配置される（図６Ｃ参照）。
【００４４】
図６Ｃは、脚部３０３Ｂを備えた脚接続部５０１を示しており、脚部３０３Ｂから延びる位置決めノード６０５Ａおよび６０５Ｂと同等の位置決めノードを受けるように配置されたスロット６０７Ｂを示している。
【００４５】
湾曲したスロット６０７Ｂは、スロットのチャネル内の突起（６０９Ａおよび６０９Ｂ）を含み、位置決めノードの動きを妨害し、位置決めノードがスロット６０７Ｂのいずれかの端に到達すると、脚部を所定の位置にロックさせる。脚結合部の各側部は、伸長された形態および折り畳み形態の各々において脚部のそれぞれをロックするための同様の突起を有することが理解されよう。
【００４６】
図７Ａおよび図７Ｂは、２つの異なる使用可能な構成の楽器用スタンド３０１を示す。図７Ａにおいて、楽器用スタンド３０１は、ユーザが座って使用するための構成で示されており、第２直立部分３０７Ｂが第１直立部分３０７Ａの外へ延ばされている。この構成では、部材３０９の第１端部は、釣り合い錘３１４よりも低い位置にある。図７Ｂにおいて、楽器用スタンド３０１は、ユーザが立って使用するための構成で示されており、第２直立部分３０７Ｂは第１直立部分３０７Ａの外へ延ばされない。この構成では、部材３０９の第１端部は、釣り合い錘３１４より高い位置にある。
【００４７】
図８は、第１直立部分３０７Ａと第２直立部分３０７Ｂとの間に位置する解除ロック３１３を示す。解除ロックの内部には締め付けカラー上に制限ねじがあり、調節するときは、第２直立部分３０７Ｂに対して締め付けられ、第１直立部分３０７Ａに対して所定位置に固定される。
【００４８】
図８はまた、第２直立部分３０７Ｂの外面に沿って配置されたキー溝８０１を示す。溝８０１は、第２直立部分３０７Ｂの軸に平行に延びている。この溝は、第２直立部分３０７Ｂが張力取り付け具３１１に対して回転するのを止めるため、張力取り付け具３１１内の突起（図１０の１００１参照）と相互作用するように配置される。第２直立部におけるキー溝の位置は、楽器用スタンドが使用されているときは、ユーザの中心である。すなわち、溝は、２つの脚部の中心に位置される。
【００４９】
図９および図１０は、部材３０９の外面に沿って配置されたキー溝９０１を示す。溝９０１は、部材３０９の軸に平行に延びている。この溝は、張力取り付け具３１１の部材の回転を止めるため、張力取り付け具３１１内に位置する突起１００３（図１０）と接するように配置されている。
【００５０】
図１０および図１１に関して、セルフセンタリング（self-centering）の特徴は、張力取り付け具３１１の下部１１０３に形成されたＶ字形の溝１１０１と、張力取り付け具３１１の上部１００７に形成された位置決め部１００５（図１０）との相互作用によってもたらされる。このセルフセンタリング機構は、圧力が加えられていないときに、部材を２つの脚部の間に位置させる。
【００５１】
図１１Ａおよび図１１Ｂは、張力取り付け具３１１（図１１Ａ）の下部１１０３の凹部１１０７内に位置する引っ張りバネ１１０５を含む張力取り付け具３１１の内部動作の詳細を示す。引っ張りバネの２つの端部（１１０７Ａおよび１１０７Ｂ）は、取り付け具３１１の上部１００７に形成されたそれぞれの表面１１０９に係合する（図１１Ｂ）。張力取り付け具３１１の下部１１０３は、上部１００７に形成された表面１１０９と相互作用する引っ張りバネをより明確に示すために、図１１Ｂには示されていないことが理解されるだろう。
【００５２】
図１２Ａおよび図１２Ｂは、それぞれのロックモードおよびロック解除モードにおけるカムレバー動作の図を提供する。ロックモード（図１２Ａ）では、カムレバー１２０１は、操作レバー部１２０３が部材９０１の軸に平行となるように下に向けられる。ロック解除モード（図１２Ｂ）では、カムレバー１２０１は、操作レバー部１２０３が部材９０１の軸と直交するように上に向けられる。ロックモードでは、部材９０１が配置されている中央の張力取り付け具に対して部材を所定の位置にロックするため、カムレバー１２０１の表面１２０５が部材９０１の表面と係合される。ロックモードに移行すると、カムレバー１２０１の表面１２０５は、部材９０１の表面１２０７と係合していないので、部材９０１が位置されている中央の張力取り付け具に対して、部材は所定の位置にロックされていない。
【００５３】
図１３は、楽器用スタンド３０１に従って使用される多部分（multi-part）釣り合い錘システムを示す。釣り合い錘３１４は、２つの釣り合い錘構成要素（３１４Ａおよび３１４Ｂ）を有する。第１の釣り合い錘構成要素３１４Ａは、第１側で部材３０９の遠位端に取り付けられ、第２側は、構成要素３１４Ａの本体の中央に位置されたねじ付き開口１３０１を有する。第２の釣り合い錘構成要素３１４Ｂは、ねじ付き開口１３０１に対応する構成要素１３０３の本体の中央に配置されたねじ付き構成要素１３０３を含む。ねじ付き構成要素１３０３は、２つの釣り合い錘構成要素同士を接続するため、ねじ付き開口１３０１にねじ込まれ得る。これにより、楽器用スタンドと共に使用される楽器に応じて、釣り合い錘の総重量を簡単に調節できる。釣り合いは、２つまたはそれ以上の釣り合い構成要素から形成することができ、構成要素の各々が互いに完全に釣り合いをとるように係合していることが理解される。
【００５４】
図１４は、保管および包装に適したコンパクトな構成の楽器用スタンド３０１を示す。
【００５５】
図１５は、楽器用スタンド３０１がコンパクトな構成にあるときの図３の楽器用スタンドの釣り合いの詳細を示す。ドーム型の頭部のゴム栓１５０１が、第１の釣り合い錘構成要素３１４Ａに形成された開口内に配置されている。ゴム栓１５０１は、コンパクトな構成にあるときに直立部３０７によりかかり、釣り合いの構成要素の金属が直立部３０７を引っ掻くことを防ぐ。
【００５６】
本発明は好ましい実施形態を参照して説明されてきたが、本発明が他の多くの形態で具体化され得ることは当業者によって理解される。
【図１】
2019517028.tif 000003
【図２】
2019517028.tif 000004
【図３】
2019517028.tif 000005
【図４】
2019517028.tif 000006
【図５Ａ】
2019517028.tif 000007
【図５Ｂ】
2019517028.tif 000008
【図６Ａ】
2019517028.tif 000009
【図６Ｂ】
2019517028.tif 000010
【図６Ｃ】
2019517028.tif 000011
【図７Ａ】
2019517028.tif 000012
【図７Ｂ】
2019517028.tif 000013
【図８】
2019517028.tif 000014
【図９】
2019517028.tif 000015
【図１０】
2019517028.tif 000016
【図１１Ａ】
2019517028.tif 000017
【図１１Ｂ】
2019517028.tif 000018
【図１２Ａ】
2019517028.tif 000019
【図１２Ｂ】
2019517028.tif 000020
【図１３】
2019517028.tif 000021
【図１４】
2019517028.tif 000022
【図１５】
2019517028.tif 000023
【国際調査報告】
2019517028.tif 000024
2019517028.tif 000025
2019517028.tif 000026